(57)【要約】【課題】光ピックアップ上の光学系に生じ得る振動を効果的に抑制することで、良好な光学特性を得る。【解決手段】本発明の光ピックアップ３は、対物レンズ９を保持するレンズホルダ４１と、所定の挿入部５１ａ、５１ｂを有しレンズホルダ４１の磁気駆動用マグネット４０を保持するヨークベース５１と、を支持するアクチュエータ１２と、挿入部５１ａ、５１ｂが挿入される開口部４５ａ、４５ｂが形成され、かつ開口部４５ａ、４５ｂに挿入部５１ａ、５１ｂが挿入された状態でアクチュエータ１２を支持するヘッドベース４５と、ヘッドベース４５の開口部４５ａ、４５ｂに挿入された挿入部５１ａ、５１ｂと開口部４５ａ、４５ｂの縁部４５ｅ、４５ｆとを互いに接合する接合部５５ａ〜５５ｅと、を備える。【選択図】図９
2008165919.tif 000002
【特許請求の範囲】
【請求項１】
対物レンズを保持するレンズホルダと、所定の挿入部を有し前記レンズホルダの磁気駆動用マグネットを保持するヨークベースと、を支持するアクチュエータと、
前記ヨークベースの前記挿入部が挿入される開口部が形成され、かつ前記開口部に前記挿入部が挿入された状態で前記アクチュエータを支持するヘッドベースと、
前記ヘッドベースに形成された前記開口部の縁部と前記開口部に挿入された前記ヨークベースの前記挿入部とを互いに接合する接合部と、
を具備することを特徴とする光ピックアップ。
【請求項２】
前記ヘッドベースが、
レーザ光を出射する光源と、
前記開口部の近傍に配置され、かつ前記レーザ光源から出射された前記レーザ光を前記対物レンズ側に導光する立ち上げミラーと、
を支持することを特徴とする請求項１記載の光ピックアップ。
【請求項３】
前記ヘッドベースが、
前記開口部を一組有すると共に、レーザ光を出射する光源と、前記一組の開口部に挟まれる前記ヘッドベース上の梁部に搭載されかつ前記レーザ光源から出射された前記レーザ光を前記対物レンズ側に導光する立ち上げミラーと、を支持する
ことを特徴とする請求項１記載の光ピックアップ。
【請求項４】
前記ヘッドベースが、レーザ光を出射する光源と、前記レーザ光源から出射された前記レーザ光を前記対物レンズ側に導光する立ち上げミラーと、を支持すると共に、前記立ち上げミラーに設けられた挿入部が挿入される第２の開口部を有し、
さらに、前記ヘッドベースが有する前記第２の開口部の縁部と前記第２の開口部に挿入された前記立ち上げミラーの前記挿入部とを互いに接合する第２の接合部、
を具備することを特徴とする請求項１記載の光ピックアップ。
【請求項５】
前記ヘッドベースが、前記開口部を一組有すると共に、レーザ光を出射する光源と、前記一組の開口部に挟まれる前記ヘッドベース上の梁部に搭載されかつ前記レーザ光源から出射された前記レーザ光を前記対物レンズ側に導光する立ち上げミラーと、を支持し、かつ前記立ち上げミラーに設けられた挿入部が挿入される第２の開口部を前記梁部に有し、
さらに、前記梁部に形成された前記第２の開口部の縁部と前記第２の開口部に挿入された前記立ち上げミラーの前記挿入部とを互いに接合する第２の接合部、
を具備することを特徴とする請求項１記載の光ピックアップ。
【請求項６】
対物レンズを保持するレンズホルダと、所定の挿入部を有し前記レンズホルダの磁気駆動用マグネットを保持するヨークベースと、を支持するアクチュエータと、
前記ヨークベースの前記挿入部が挿入される開口部が形成され、かつ前記開口部に前記挿入部が挿入された状態で前記アクチュエータを支持するヘッドベースと、
前記ヘッドベースに形成された前記開口部の縁部と前記開口部に挿入された前記ヨークベースの前記挿入部とを互いに接合する接合部と、
を具備する光ピックアップを搭載したことを特徴とするディスクドライブ装置。
【請求項７】
前記ヘッドベースが、
レーザ光を出射する光源と、
前記開口部の近傍に配置され、かつ前記レーザ光源から出射された前記レーザ光を前記対物レンズ側に導光する立ち上げミラーと、を支持する
光ピックアップを搭載したことを特徴とする請求項６記載のディスクドライブ装置。
【請求項８】
前記ヘッドベースが、
前記開口部を一組有すると共に、レーザ光を出射する光源と、前記一組の開口部に挟まれる前記ヘッドベース上の梁部に搭載されかつ前記レーザ光源から出射された前記レーザ光を前記対物レンズ側に導光する立ち上げミラーと、を支持する
光ピックアップを搭載したことを特徴とする請求項６記載のディスクドライブ装置。
【請求項９】
前記ヘッドベースが、レーザ光を出射する光源と、前記レーザ光源から出射された前記レーザ光を前記対物レンズ側に導光する立ち上げミラーと、を支持すると共に、前記立ち上げミラーに設けられた挿入部が挿入される第２の開口部を有し、
さらに、前記ヘッドベースが有する前記第２の開口部の縁部と前記第２の開口部に挿入された前記立ち上げミラーの前記挿入部とを互いに接合する第２の接合部、
を具備する光ピックアップを搭載したことを特徴とする請求項６記載のディスクドライブ装置。
【請求項１０】
前記ヘッドベースが、前記開口部を一組有すると共に、レーザ光を出射する光源と、前記一組の開口部に挟まれる前記ヘッドベース上の梁部に搭載されかつ前記レーザ光源から出射された前記レーザ光を前記対物レンズ側に導光する立ち上げミラーと、を支持し、かつ前記立ち上げミラーに設けられた挿入部が挿入される第２の開口部を前記梁部に有し、
さらに、前記梁部に形成された前記第２の開口部の縁部と前記第２の開口部に挿入された前記立ち上げミラーの前記挿入部とを互いに接合する第２の接合部、
を具備する光ピックアップを搭載したことを特徴とする請求項６記載のディスクドライブ装置。
【発明の詳細な説明】
【技術分野】
【０００１】
本発明は、光ディスクなどのディスク媒体を用いて情報の記録及び／又は再生を行うための光ピックアップ及びディスクドライブ装置に関する。
【背景技術】
【０００２】
近年のノート型ＰＣや可搬型のＤＶＤ再生装置などの普及に伴って、これらの機器に搭載される光ディスクドライブ装置及びこの光ディスクドライブ装置に内蔵される光ピックアップには、小型化や薄型化が要求されている。
【０００３】
例えば、光ピックアップの薄型化は、光学ベース上に形成した開口部内に、対物レンズ駆動手段や立ち上げミラーを光学ベースの底面まで挿入し、この状態でこれらの部品を互いに組み付けることなどで実現される（例えば、特許文献１参照）。
【０００４】
ここで、上記文献の光ピックアップは、立ち上げミラーの底面を光学ベースの底面に接着剤を介して接合し実質的に立ち上げミラーの周辺部分の剛性を向上させることで、立ち上げミラーの振動に起因するレーザ光の反射ぶれを抑え、これによりサーボ特性の安定化を図っている。
【特許文献１】特開２００５−３０２２２８号公報
【発明の開示】
【発明が解決しようとする課題】
【０００５】
しかしながら、上述した文献の光ピックアップは、対物レンズ駆動手段の平面形状部分を全面にわたって挿入可能な比較的大きなサイズの開口部が光学ベース上に形成されている。このため、光学ベース全体としての機械的強度は必ずしも十分とはいえず、したがって、上記の光学ベース上に立ち上げミラーを接着するといった構造は、振動の抑制効果の点で課題を抱えている。
【０００６】
そこで本発明は、このような事情を考慮してなされたもので、光ピックアップ上の光学系に生じ得る振動を効果的に抑制することで、良好な光学特性を得ることができる光ピックアップ及びディスクドライブ装置の提供を目的とする。
【課題を解決するための手段】
【０００７】
上記目的を達成するために、本発明に係る光ピックアップは、対物レンズを保持するレンズホルダと、所定の挿入部を有し前記レンズホルダを駆動する磁気回路を備えたヨークベースと、を支持するアクチュエータと、前記ヨークベースの前記挿入部が挿入される開口部が形成され、かつ前記開口部に前記挿入部が挿入された状態で前記アクチュエータの磁気駆動用マグネットを保持するヘッドベースと、前記ヘッドベースに形成された前記開口部の縁部と前記開口部に挿入された前記ヨークベースの前記挿入部とを互いに接合する接合部と、を具備することを特徴とする。
【０００８】
また、本発明に係るディスクドライブ装置は、対物レンズを保持するレンズホルダと、所定の挿入部を有し前記レンズホルダの磁気駆動用マグネットを保持するヨークベースと、を支持するアクチュエータと、前記ヨークベースの前記挿入部が挿入される開口部が形成され、かつ前記開口部に前記挿入部が挿入された状態で前記アクチュエータを支持するヘッドベースと、前記ヘッドベースに形成された前記開口部の縁部と前記開口部に挿入された前記ヨークベースの前記挿入部とを互いに接合する接合部と、を具備する光ピックアップを搭載したことを特徴とする。
【発明の効果】
【０００９】
本発明によれば、光ピックアップ上の光学系に生じ得る振動を効果的に抑制することで、良好な光学特性を得ることが可能な光ピックアップ及びディスクドライブ装置を提供することができる。
【発明を実施するための最良の形態】
【００１０】
以下、本発明を実施するための最良の形態を図面に基づき説明する。
［第１の実施形態］
図１は、本発明の第１の実施形態に係る光ピックアップ３を搭載したディスクドライブ装置１を示す機能ブロック図である。なお、図１では、光ピックアップ３内の光学系を簡略化して図示している。
【００１１】
まず、図１に基づき本実施形態のディスクドライブ装置１の主に制御系について説明を行う。ディスクドライブ装置１は、ＣＤ（Compact Disc）、ＤＶＤ（Digital Versatile Disk）、ＨＤ ＤＶＤ（High Definition DVD）などの光ディスク２の記録及び／又は再生を行うことの可能な光ディスク記録再生装置であって、図１に示すように、光学ヘッドである光ピックアップ３、三軸制御部（三軸駆動制御部）１３、再生処理部２０、及び記録処理部２３を備えて構成されている。
【００１２】
光ピックアップ３は、光ディスク２に対して情報の記録や再生のためにレーザ光を照射すると供に光ディスク２からの反射光を電気信号に変換し再生信号として出力するものであり、光学系構成品として、レーザダイオード４９、レンズ５、ＰＢＳ（偏光ビームスプリッタ）６、立上げミラー７、ＨＯＥ（holographic optical element）８、対物レンズ９、集光レンズ１０、及び光検出器１１を備えている。
【００１３】
また、光ピックアップ３は、対物レンズ９及びＨＯＥ８を装着するアクチュエータ（対物レンズアクチュエータ）１２を備えており、アクチュエータ１２によって対物レンズ９及びＨＯＥ８を三軸制御している。三軸制御部１３は、フォーカスエラー信号生成回路１４、フォーカス制御回路１５、トラッキングエラー信号生成回路１６、トラッキング制御回路１７、ラジアルチルトエラー信号生成回路１８、及びラジアルチルト制御回路１９を備えている。
【００１４】
三軸制御部１３が備えるこれらの回路によって生成される制御信号は、アクチュエータ１２に出力され、対物レンズ９の位置制御及び姿勢角制御を行っている。具体的には、レーザ光の焦点が光ディスク２の記録面上に正確に位置するように対物レンズ９と光ディスク２の記録面との離隔距離を制御するフォーカス制御、光ディスク２の特定のトラックの中心にレーザ光の焦点が常に位置するように対物レンズの径方向の位置を微調するトラッキング制御、及び光ディスク２の記録面がレーザ光の光軸に対して垂直な面から若干ずれてラジアル方向に傾斜した場合でも、レーザ光が光ディスク２の記録面に対して常に垂直に照射されるように、対物レンズ９の姿勢角を光ディスク２の径方向に制御するラジアルチルト制御をそれぞれサーボ制御している。
【００１５】
再生処理部２０は、光ピックアップ３から出力される信号に対して再生処理を行うものであり、信号処理回路２１及び復調回路２２を備えている。また、記録処理部２３は、主に光ディスク２に対する情報の記録を行うものであり、変調回路２４、記録再生制御部２５、及びレーザ制御回路２６を備えている。
【００１６】
ここで、ディスクドライブ装置１の基本的な動作について説明する。まず、光ディスク２に対する情報記録の動作から説明する。記録処理部２３の変調回路２４は、所定の変調方式に基づいてホスト、例えばパーソナルコンピュータ本体から提供される記録情報（データシンボル）をチャネルビット系列に変調する。記録情報に対応したチャネルビット系列は、記録再生制御部２５に入力される。
【００１７】
この記録再生制御部２５には、ホストからの記録再生指示（この場合、記録指示）が入力される。記録再生制御部２５は、三軸制御部１３に制御信号を出力し、目的の記録位置に光ビームが適切に集光されるようにアクチュエータ１２を駆動する。さらに、記録再生制御部２５は、チャネルビット系列をレーザ制御回路２６に供給する。レーザ制御回路２６は、チャネルビット系列をレーザ駆動波形に変換し、レーザダイオード４９をパルス駆動させる。この結果、レーザダイオード４９は、所望のビット系列に対応した記録用の光ビームを生成する。
【００１８】
レーザダイオード４９で生成された記録用の光ビームは、レンズ５で平行光となり、ＰＢＳ６に入射し、透過する。ＰＢＳ６を透過した光ビームは、立上げミラー７で反射され、ＨＯＥ８を透過し、対物レンズ９により光ディスク２の記録面に集光される。集光された記録用の光ビームは、三軸制御部１３及びアクチュエータ１２によるフォーカス制御、トラッキング制御、及びラジアルチルト制御によって、光ディスク２の記録面上に最良の光ビームスポットが得られる状態で維持される。
【００１９】
次に、このディスクドライブ装置１による光ディスク２からの情報の再生について説明する。記録再生制御部２５には、ホストからの記録再生指示（この場合、再生指示）が入力される。記録再生制御部２５は、ホストからの再生指示に従って、レーザ制御回路２６に再生制御信号を出力する。
【００２０】
レーザ制御回路２６は、再生制御信号に基づいてレーザダイオード４９を駆動させ再生用の光ビームを生成する。レーザダイオード４９で生成された再生用の光ビームは、レンズ５で平行光となり、ＰＢＳ６に入射し透過する。ＰＢＳ６を透過した光ビームは立上げミラー７で反射され、ＨＯＥ８を透過し、対物レンズ９により光ディスク２の記録面に集光される。集光された再生用の光ビームは、三軸制御部１３及びアクチュエータ１２によるフォーカス制御、トラッキング制御、およびラジアルチルト制御によって、光ディスク２の記録面上に最良の光ビームスポットが得られる状態で維持される。
【００２１】
光ディスク２上に照射された再生用の光ビームは、記録面内の反射膜あるいは反射性記録膜によって反射される。反射光は、対物レンズ９を逆方向に透過して再度平行光となり、ＨＯＥ８を透過した後、入射光に対して垂直な偏光を持つＰＢＳ６で反射される。ＰＢＳ６で反射された光ビームは、集光レンズ１０により収束光となり、光検出器１１に入射される。光検出器１１は、例えば、４分割のフォトディテクタから構成されている。光検出器１１に入射した光束は、光電変換されて電気信号となり増幅される。増幅された信号は、再生処理部２０の信号処理回路２１において等化処理された後、２値化され、復調回路２２に送られる。復調回路２２では所定の変調方式に対応した復調動作が施されて、再生データが出力される。
【００２２】
一方、光検出器１１から出力される電気信号の一部は三軸制御部１３へ入力され、フォーカスエラー信号生成回路１４によりフォーカスエラー信号が生成される。同様に、光検出器１１から出力される電気信号の一部は三軸制御部１３へ入力され、トラッキングエラー信号生成回路１６及びラジアルチルトエラー信号生成回路１８によりそれぞれトラッキングエラー信号及びラジアルチルトエラー信号が生成される。
【００２３】
フォーカス制御回路１５は、フォーカスエラー信号に基づきアクチュエータ１２を制御し、ビームスポットのフォーカスを制御する。トラッキング制御回路１７は、トラッキングエラー信号に基づきアクチュエータ１２を制御し、ビームスポットのトラッキングを制御する。また、ラジアルチルト制御回路１９は、ラジアルチルトエラー信号に基づきアクチュエータ１２を制御し、ビームスポットのラジアルチルトを制御する。このように、アクチュエータ１２は、三軸制御部１３からの制御信号に基づいて、アクチュエータ１２に搭載されている対物レンズ９の位置及び姿勢角を制御し、光ディスク２に対するビームスポットの位置が最適となるように維持している。
【００２４】
次に、本実施形態のディスクドライブ装置１の機械的構造について説明を行う。ここで、図２は、ディスクドライブ装置１の外観を示す斜視図である。本実施形態のディスクドライブ装置１は、図２に示すように、例えばノート型ＰＣやブックタイプのＰＣなどに搭載される薄型構造のドライブ装置である。ディスクドライブ装置１は、光ディスク２を回転駆動して情報の記録再生を行うための電子部品及び機構部品がユニット化されたディスク記録再生ユニット３２を搭載するドロワ３３と、このドロワ３３を収容可能なキャビネット３４とから構成されている。キャビネット３４は、上蓋としての上側キャビネット（図示せず）と、ドロワ３３を矢印Ｘ１−Ｘ２方向に出し入れ自在とするガイドレールなどが設けられた下側キャビネット３６とから構成されている。
【００２５】
ドロワ３３に搭載されたディスク記録再生ユニット３２には、光ディスク２が載置されるターンテーブル３７を回転駆動するディスクモータ３８や、上述した光ピックアップ３などが設けられている。光ピックアップ３は、フィードモータや複数の減速ギア群などで構成されたピックアップ送り機構により光ディスク２の径方向（トラッキング方向Ｔ１−Ｔ２）に搬送される。
【００２６】
また、上記ディスクモータ３８には、光ディスク２をセンタリングした状態でターンテーブル３７上へ固定保持させるディスクチャッキング機構３５などが取り付けられている。これらディスクモータ３８、光ピックアップ３及びピックアップ送り機構などは、単一のメカシャーシ上に搭載されており、このメカシャーシは、ドロワ３３にダンパーゴムなどの防振部材を介してフローティング構造で支持されている。
【００２７】
次に、本実施形態に係る光ピックアップ３の構造を図３〜図７に基づき説明する。ここで、図３は、光ピックアップ３を上面側（対物レンズ９が露出する側）からみた斜視図であり、図４は、光ピックアップ３を底面側（対物レンズ９の非露出側）からみた斜視図である。また、図５は、光ピックアップ３が備えるアクチュエータ１２を示す斜視図であり、図６は、図５のアクチュエータ１２の可動部４８を示す斜視図である。さらに、図７は、図３の光ピックアップ３からアクチュエータ１２を取り外した状態を示す斜視図である。
【００２８】
すなわち、光ピックアップ３のヘッド筐体部分（ピックアップ本体）は、図３、図４に示すように、磁気駆動系部品、光学系部品を保持するためのアルミダイキャスト製、亜鉛ダイキャスト製又はマグネシウムダイキャスト製のヘッドベース４５によって形成されている。ヘッドベース４５には、メインガイド軸受４６、サブガイド軸受４７が形成されている。メインガイド軸受４６及びサブガイド軸受４７には、光ピックアップ３の搬送を案内する主軸（メインガイド軸）及び副軸（サブガイド軸）がそれぞれ挿通される。主軸及び副軸は、ディスク記録再生ユニット３２のメカシャーシ上に各々支持される。
【００２９】
また、ヘッドベース４５上には、図３、図４に示すように、アクチュエータ１２、上記した立上げミラー７、ＰＢＳ６、コリメータレンズ５６、トリクロイックミラー５７、光検出器１１、所定のレーザ光を出射する上記したレーザダイオード４９などが接着された状態で搭載されている。ここで、レーザダイオード４９から出射されかつ所定の光学系を経てトリクロイックミラー５７に反射され、さらにコリメータレンズ５６を通過したレーザ光を、立上げミラー７は、直角に反射して対物レンズ９側に導光する。また、本実施形態の光ピックアップ３のヘッドベース４５上には、レーザダイオード４９として、ＤＶＤ用のレーザダイオード４９ａ、ＨＤ ＤＶＤ用のレーザダイオード４９ｂ、ＣＤ用のレーザダイオード４９ｃといった三種類のレーザ光源が搭載されている。
【００３０】
図３、図４、図６に示すように、アクチュエータ１２は、対物レンズ９（及びＨＯＥ８）を保持するレンズホルダ４１と、レンズホルダ４１の磁気駆動用マグネット４０を保持するヨークベース５１と、を支持する。レンズホルダ４１は、図６に示すように、中空の直方体状に形成されている。立ち上げミラー７は、対物レンズ９の下方に配置され、レンズホルダ４１に四方を包囲されるかたちで配置されている。つまり、本実施形態の光ピックアップ３のアクチュエータ１２では、いわゆるレンズセンタ型のレンズホルダ４１が適用されている。また、レンズホルダ４１の周囲には、磁気駆動用コイル４３が取り付けられている。この磁気駆動用コイル４３と対物レンズ９を保持するレンズホルダ４１とは、アクチュエータ１２本体に対して可動する可動部４８を構成する。
【００３１】
この可動部４８は、図３、図４、図６に示すように、サスペンションワイヤ４２を介してゲルボックス５２に固定されている。ゲルボックス５２は、ＳＰＣＣやＳ４５Ｃなどの磁性体金属で構成された上記ヨークベース５１と接着されている。磁気駆動用マグネット４０は、可動部４８の前後に配置されており、ヨークベース５１に固着されている。つまり、可動部４８は、サスペンションワイヤ４２により空中に支持された構造となっており、磁気駆動用マグネット４０から発生する磁界と磁気駆動用コイル４３に電流を流すことで生じる電界とによるローレンツ力によって、摩擦の影響をほとんど受けることなく、レンズホルダ４１上の対物レンズ９を駆動することができる。
【００３２】
次に、本実施形態に係る光ピックアップ３の立ち上げミラー７の周辺の構造について、上述した図３〜図７に加え、図８〜図１２に基づき説明を行う。ここで、図８は、光ピックアップ３の分解斜視図であり、図９は、ヘッドベース４５の梁部４５ｃの周辺部分を光ピックアップ３の底面側からみた拡大図である。
【００３３】
すなわち、ヨークベース５１には、図４、図５、図８、図９に示すように、各々突出した一組（一対）の挿入部５１ａ、５１ｂが設けられている。一方、ヘッドベース４５には、図７〜図９に示すように、ヨークベース５１の一組の挿入部５１ａ、５１ｂがそれぞれ挿入される一組（一対）の開口部４５ａ、４５ｂが形成されている。ヘッドベース４５は、ヨークベース５１の一組の挿入部５１ａ、５１ｂがそれぞれ挿入された状態でアクチュエータ１２を支持する。また、ヘッドベース４５上には、一組（一対）の開口部４５ａ、４５ｂに挟まれる位置に梁部４５ｃが形成されている。立ち上げミラー７は、図７、図８に示すように、開口部４５ａ、４５ｂの近傍、すなわち、この梁部４５ｃの直上に搭載（配置）されている。具体的には、梁部４５ｃ上に設けられたミラー受け部４５ｄに位置決めされた状態でこの梁部４５ｃ上に接合されている。
【００３４】
ここで、アクチュエータ１２において、光ディスク２の記録再生を高倍速で行うためには、対物レンズ９を保持するレンズホルダ４１の剛性を高めて共振周波数を高めること、及び対物レンズ９を速く駆動するために駆動感度を高くすることが必要である。このため、本実施形態では、上記したレンズセンタ型のレンズホルダ４１が採用されている。
【００３５】
また一方で、ヘッドベース４５の平均的な肉厚は、０．５ｍｍ〜０．６ｍｍで形成されているものの、光ピックアップ３本体の薄型化を図るために、上述した梁部４５ｃの肉厚は、例えば０．３ｍｍで形成されている。つまり、立ち上げミラー７を搭載する梁部４５ｃは、光ピックアップ３本体及びアクチュエータ１２の寸法上の制約などから、幅、厚さとも大きくとることはできず、断面二次モーメントが小さな値となる。このため、梁部４５ｃが、アクチュエータ１２の制御帯域である数ｋＨｚ（例えば２ｋＨｚ〜１５ｋＨｚの帯域）にて共振するおそれがある。梁部４５ｃが共振した場合、立ち上げミラー７も大きく振動することになる。特に、立ち上げミラー７がラジアルチルト方向に振動すると、立ち上げミラー７で反射されつつ対物レンズ９及びディスク面側に導光されるレーザ光の光軸にぶれが生じるため、サーボ特性など始めとする光学特性全般に悪影響を及ぼすことになる。
【００３６】
そこで、本実施形態の光ピックアップ３は、立ち上げミラー７に生じ得る振動を抑制するために、図７〜図９に示すように、ヘッドベース４５に形成された一組の開口部４５ａ、４５ｂの縁部（周縁部分）４５ｅ、４５ｆと、開口部４５ａ、４５ｂにそれぞれ挿入されたヨークベース５１の一組の挿入部５１ａ、５１ｂと、を互いに接合する接合部５５ａ〜５５ｅを有する。ここで、ヨークベース５１（アクチュエータ１２）の一部分である挿入部５１ａ、５１ｂに対応するサイズで上記開口部４５ａ、４５ｂが形成されているので、光ピックアップ３本体のフレーム部分（筐体部分）として機能するヘッドベース４５は、筐体としての機械的強度を確保することができる。
【００３７】
詳述すると、図４及び図９に示すように、ヘッドベース４５の底面側（対物レンズ９の非露出側）における開口部４５ａ、４５ｂの開口端と、開口部４５ａ、４５ｂに挿入されたヨークベース５１の各挿入部５１ａ、５１ｂの先端面とは、開口部４５ａ、４５ｂに挿入部５１ａ、５１ｂが挿入された状態で面一となるように形成されている。この面一となる開口部４５ａ、４５ｂの開口端の縁部４５ｅ、４５ｆと、各挿入部５１ａ、５１ｂの先端面の周縁とが所定の接着剤で接着されて、接合部５５ａ〜５５ｅが構成されている。この接合部５５ａ〜５５ｅに適用される接着剤としては、硬化時の剛性が高いものが好適である。さらに、このような接合部は、開口部４５ａ、４５ｂの周縁全体にわたって設けられてもよい。また、この接合部では、挿入部５１ａ、５１ｂを片持ちで支持するような接合状態を極力避けて、挿入部５１ａ、５１ｂを少なくともニ個所以上の両持ちで支持するような接合状態とすることが望ましい。
【００３８】
ここで、接合部５５ａ〜５５ｅによる振動抑制効果について図１０〜図１２に基づき検証を行う。上記の図１０は、接合部５５ａ〜５５ｅのない（接着なし）状態で光ピックアップ３に搭載された対物レンズアクチュエータをトラッキング駆動したときの６．９ｋＨｚ付近の振動モード形状を測定したものである。また、図１１は、接合部５５ａ〜５５ｅのない状態で光ピックアップ３に搭載された対物レンズアクチュエータをトラッキング駆動したときの７．９ｋＨｚ付近の振動モード形状を測定したものである。なお、図１０及び図１１では、振動の発生が大きい部位が、検査結果となる表示画像として歪に変形して可視表示されている。また、図１２は、接合部５５ａ〜５５ｅのない（接着なし）状態と接合部５５ａ〜５５ｅのある（接着あり）状態との光ピックアップ３の対物レンズアクチュエータをトラッキング駆動したときの、梁部４５ｃにおける回転振動特性を測定した結果である。
【００３９】
すなわち、図１０〜図１２に示すように、接合部５５ａ〜５５ｅのない状態で６．９ｋＨｚ及び７．９ｋＨｚの周波数にて大きく振動していた梁部４５ｃが、図１２に示すように、接合部５５ａ〜５５ｅのある状態で６ｋＨｚ以上（特に６．９ｋＨｚ及び７．９ｋＨｚ近辺）の共振ピークが大幅に低減していることがわかる。
【００４０】
したがって、本実施形態の光ピックアップ３では、ヘッドベース４５の梁部４５ｃとアクチュエータ１２が支持するヨークベース５１とが一体化され、立ち上げミラー７を支持する部位の構成要素全体の断面二次モーメント（剛性）が向上し、立ち上げミラー７を支持する構造体全体の共振周波数を高めることができる。これにより、本実施形態に係る光ピックアップ３及びこれを搭載したディスクドライブ装置１によれば、光ピックアップ３上の立ち上げミラー７などの光学系に生じ得る振動を効果的に抑制することができ、良好な光学特性を得ることができる。
【００４１】
［第２の実施の形態］
次に、本発明の第２の実施形態を図１３及び図１４に基づき説明する。ここで、図１３は、本発明の第２の実施形態に係る光ピックアップ７３の分解斜視図であり、図１４は、この光ピックアップ７３のヘッドベース７５における梁部７５ｃの周辺部分を光ピックアップ７３の底面側からみた拡大図である。なお、本実施形態では、上記の図１３、図１４において、図８、図９に示した第１の実施形態の光ピックアップ３に設けられていたものと同一の構成要素については、同一の符号を付与しその説明を省略する。
【００４２】
すなわち、本実施形態に係る光ピックアップ７３のヘッドベース７５には、立ち上げミラー７に設けられた挿入部７ａが挿入される開口部（第２の開口部）７５ａが、梁部７５ｃに形成されている。さらに、光ピックアップ７３は、梁部７５ｃに形成された開口部７５ａの縁部７５ｂ、７５ｄと開口部７５ａに挿入された立ち上げミラー７の挿入部７ａとを互いに接合する接合部（第２の接合部）８５ａ、８５ｂを備える。
【００４３】
詳述すると、図１３、図１４に示すように、ヘッドベース４５の底面側（対物レンズ９の非露出側）における開口部７５ａの開口端と、開口部７５ａに挿入された挿入部７ａの先端面とが、面一となるように、接合部８５ａ、８５ｂを通じてヘッドベース４５及び立ち上げミラー７が接合されている。この面一となる角穴状の開口部４５ａ、４５ｂにおける開口端の縁部７５ｂ、７５ｄと、立ち上げミラー７の断面矩形状の挿入部７ａの先端面の互いに対向する一組の辺部とが所定の接着剤で接着されて、接合部８５ａ、８５ｂが構成されている。この接合部８５ａ、８５ｂに適用される接着剤としては、硬化時の剛性が高いものが好ましく、このような接合部は、開口部７５ａの周縁全体にわたって設けられてもよい。
【００４４】
したがって、この実施形態に係る光ピックアップ７３においても、立ち上げミラー７を支持する部位の構成要素全体の剛性が向上し、立ち上げミラー７を支持する構造体全体の共振周波数を高めることができる。これにより、光ピックアップ７３及びこれを搭載したディスクドライブ装置によれば、光ピックアップ７３上の光学系に生じ得る振動が効果的に抑制され、優れた光学特性が発揮される。また、この実施形態では、挿入部７ａが挿入された状態で立ち上げミラー７をヘッドベース４５に搭載できるので、挿入部７ａの高さ分、光ピックアップ７３の小型化及び薄型化を図ることができる。
【００４５】
以上、本発明を第１、第２の実施の形態により具体的に説明したが、本発明はこれらの実施形態にのみ限定されるものではなく、その要旨を逸脱しない範囲で種々変更可能である。例えば、上述した実施形態では、光ディスクの記録再生を行う光ピックアップや光ディスクドライブ装置について説明を行ったが、ＭＤ（Mini Disc）や、ＭＯ（Magneto-Optical disk）などの光磁気ディスクの記録再生を行うピックアップ（光学ヘッド）やこれを搭載するドライブ装置に本発明を適用することもできる。
【００４６】
また、第１、第２の実施形態では、ヘッドベース上の一組の開口部にヨークベースの一組の挿入部を挿入した状態で、互いを接合する態様を例示したが、これに代えて、ヘッドベース上の開口部及びヨークベースの挿入部は、各々一つであってもよいし、また、これら開口部及び挿入部は、各々三つ以上であってもよい。
【図面の簡単な説明】
【００４７】
【図１】本発明の第１の実施形態に係る光ピックアップを搭載したディスクドライブ装置を示す機能ブロック図。
【図２】図１のディスクドライブ装置の外観を示す斜視図。
【図３】図１のディスクドライブ装置に搭載された光ピックアップを上面側からみた斜視図。
【図４】図３の光ピックアップを底面側からみた斜視図。
【図５】図３の光ピックアップが備えるアクチュエータを示す斜視図。
【図６】図５のアクチュエータの可動部を示す斜視図。
【図７】図３の光ピックアップからアクチュエータを取り外した状態を示す斜視図。
【図８】図３の光ピックアップの分解斜視図。
【図９】図３の光ピックアップの底面側からヘッドベースの梁部の周辺部分をみた拡大図。
【図１０】図３の光ピックアップ上に接合部のない状態で対物レンズアクチュエータをトラッキング駆動したときの６．９ｋＨｚにおける共振モード形状。
【図１１】図３の光ピックアップ上に接合部のない状態で対物レンズアクチュエータをトラッキング駆動したときの７．９ｋＨｚにおける共振モード形状。
【図１２】接合部のない状態と接合部のある状態とのピックアップの梁部における回転振動特性の測定結果。
【図１３】本発明の第２の実施形態に係る光ピックアップの分解斜視図。
【図１４】図１３の光ピックアップの底面側からヘッドベースの梁部の周辺部分をみた拡大図。
【符号の説明】
【００４８】
１…ディスクドライブ装置、２…光ディスク、３，７３…光ピックアップ、７…立ち上げミラー、７ａ，５１ａ，５１ｂ…挿入部、９…対物レンズ、１２…アクチュエータ、４０…磁気駆動用マグネット、４１…レンズホルダ、４５，７５…ヘッドベース、４５ａ，４５ｂ，７５ａ…開口部、４５ｃ，７５ｃ…梁部、４５ｅ，４５ｆ，７５ｂ，７５ｄ…縁部、５５ａ〜５５ｅ，８５ａ，８５ｂ…接合部、４８…可動部、５１…ヨークベース。
【図１】
2008165919.tif 000003
【図２】
2008165919.tif 000004
【図３】
2008165919.tif 000005
【図４】
2008165919.tif 000006
【図５】
2008165919.tif 000007
【図６】
2008165919.tif 000008
【図７】
2008165919.tif 000009
【図８】
2008165919.tif 000010
【図９】
2008165919.tif 000011
【図１２】
2008165919.tif 000012
【図１３】
2008165919.tif 000013
【図１４】
2008165919.tif 000014
【図１０】
2008165919.tif 000015
【図１１】
2008165919.tif 000016